【手続補正書】
【提出日】平成17年5月10日(2005.5.10)
【手続補正１】
【補正対象書類名】明細書
【補正対象項目名】発明の名称
【補正方法】変更
【補正の内容】
【発明の名称】画像印刷システム、画像管理サーバ、その制御方法及びプログラム
【手続補正２】
【補正対象書類名】明細書
【補正対象項目名】特許請求の範囲
【補正方法】変更
【補正の内容】
【特許請求の範囲】
【請求項１】
ネットワーク経由で互いに通信可能なクライアント端末とサーバ装置を含む画像印刷システムであって、
クライアント端末は、
画像データを前記サーバ装置へアップロードするアップロード手段と、
前記画像データと対応するテキストデータを前記サーバ装置へ送信する送信手段とを備え、
前記サーバ装置は、
前記画像データと前記テキストデータとを対応付けて記憶する記憶手段と、
前記画像データ及び前記テキストデータから表示画面情報を作成する表示画面作成手段と、
前記クライアント端末から前記画像データの印刷指示を受け付ける受付手段と、
前記画像データと対応するテキストデータとを前記記憶手段から読み出すか否か検知する検知手段と、
前記検知に応じて、前記画像データと対応するテキストデータとを記憶手段から読み出し、前記画像データと前記テキストデータとから印刷データを作成する作成手段と、
前記印刷データを印刷するよう指示する指示手段とを備えることを特徴とする画像印刷システム。
【請求項２】
クライアント端末とネットワーク経由で通信可能な画像管理サーバであって、
クライアント端末から画像データやテキストデータを受信する受信手段と、
前記画像データと前記テキストデータとを対応付けて記憶する記憶手段と、
前記画像データ及び前記テキストデータから表示画面情報を作成する表示画面作成手段と、
前記クライアント端末から前記画像データの印刷指示を受け付ける受付手段と、
前記画像データと対応するテキストデータを前記記憶手段から読み出すか否か検知する検知手段と、
前記検知に応じて、前記画像データと対応するテキストデータを記憶手段から読み出し、前記画像データと前記テキストデータとから印刷データを作成する印刷データ作成手段と、
前記印刷データを印刷するよう指示する指示手段とを備えることを特徴とする画像管理サーバ。
【請求項３】
前記記憶手段から読み出されたテキストデータを編集する編集手段を更に備えることを特徴とする請求項２記載の画像管理サーバ。
【請求項４】
前記検知に応じて、さらにテキストデータを受信する第２の受信手段を備え、
前記印刷データ作成手段は、選択的に前記第２の受信手段により受信されたテキストデータを用いて印刷データを作成することを特徴とする請求項２記載の画像管理サーバ。
【請求項５】
前記印刷データ作成手段は、前記複数の画像データとテキストデータが複数ページにそれぞれ配置された印刷データを作成することを特徴とする請求項２記載の画像管理サーバ。
【請求項６】
クライアント端末とネットワーク経由で通信可能な画像管理サーバの制御方法であって、
クライアント端末から画像データやテキストデータを受信する受信ステップと、
前記画像データと前記テキストデータとを対応付けてデータベースに記憶する記憶ステップと、
前記画像データ及び前記テキストデータから表示画面情報を作成する表示画面作成ステップと、
前記クライアント端末から前記画像データの印刷指示を受け付ける受付ステップと、
前記画像データと対応するテキストデータを前記データベースから読み出すか否か検知する検知ステップと、
前記検知に応じて、前記画像データと対応するテキストデータを前記データベースから読み出し、前記画像データと前記テキストデータとから印刷データを作成する印刷データ作成ステップと、
前記印刷データを印刷するよう指示する指示ステップとを備えることを特徴とする制御方法。
【請求項７】
前記データベースから読み出されたテキストデータを編集する編集ステップを更に備えることを特徴とする請求項６記載の制御方法。
【請求項８】
前記検知に応じて、さらにテキストデータを受信する第２の受信ステップを備え、
前記印刷データ作成ステップでは、選択的に前記第２の受信ステップにより受信されたテキストデータを用いて印刷データを作成することを特徴とする請求項６記載の制御方法。
【請求項９】
前記印刷データ作成ステップでは、前記複数の画像データとテキストデータが複数ページにそれぞれ配置された印刷データを作成することを特徴とする請求項６記載の制御方法。
【請求項１０】
クライアント端末とネットワーク経由で通信可能な画像管理サーバが実行するプログラムであって、
クライアント端末から画像データやテキストデータを受信する受信ステップと、
前記画像データと前記テキストデータとを対応付けてデータベースに記憶する記憶ステップと、
前記画像データ及び前記テキストデータから表示画面情報を作成する表示画面作成ステップと、
前記クライアント端末から前記画像データの印刷指示を受け付ける受付ステップと、
前記画像データと対応するテキストデータを前記データベースから読み出すか否か検知する検知ステップと、
前記検知に応じて、前記画像データと対応するテキストデータを前記データベースから読み出し、前記画像データと前記テキストデータから印刷データを作成する印刷データ作成ステップと、
前記印刷データを印刷するよう指示する指示ステップとを備えることを特徴とするプログラム。
【請求項１１】
前記データベースから読み出されたテキストデータを編集する編集ステップを更に備えることを特徴とする請求項１０記載のプログラム。
【請求項１２】
前記検知に応じて、さらにテキストデータを受信する第２の受信ステップを備え、
前記印刷データ作成ステップでは、選択的に前記第２の受信ステップにより受信されたテキストデータを用いて印刷データを作成することを特徴とする請求項１０記載のプログラム。
【請求項１３】
前記印刷データ作成ステップでは、前記複数の画像データとテキストデータが複数ページにそれぞれ配置された印刷データを作成することを特徴とする請求項１０記載のプログラム。
【手続補正３】
【補正対象書類名】明細書
【補正対象項目名】０００１
【補正方法】変更
【補正の内容】
【０００１】
【発明の属する技術分野】
本発明は、インターネット等の通信環境に接続されたサーバが画像データを管理し、その印刷を制御するような画像印刷システム、画像管理サーバ、その制御方法及びプログラムに関する。
【手続補正４】
【補正対象書類名】明細書
【補正対象項目名】０００９
【補正方法】変更
【補正の内容】
【０００９】
本発明は、上記従来技術の問題点を解決するために提案されたものであり、その目的とするところは、ネットワークサービスシステムにおいて、サービス情報に付加されたユーザ入力情報をそれぞれ自動的に再利用可能とすることにより、ユーザによる入力操作の負担を軽減することができる画像印刷システム、画像管理サーバ、その制御方法及びプログラムを提供することにある。
【手続補正５】
【補正対象書類名】明細書
【補正対象項目名】００１０
【補正方法】変更
【補正の内容】
【００１０】
特に、デジタル画像データを紙媒体としてのアルバムにレイアウトしてプリントするシステムにおいては、印刷されるタイトルとコメント文として、あらかじめフォトサイトで入力済みのアルバムのタイトルとコメント文、各デジタル画像データのタイトルとコメント文をそれぞれ自動的に適用可能とする画像印刷システム、画像管理サーバ、その制御方法及びプログラムを提供することにある。
【手続補正６】
【補正対象書類名】明細書
【補正対象項目名】００１１
【補正方法】変更
【補正の内容】
【００１１】
【課題を解決するための手段】
上記目的を達成するため、本発明の画像印刷システムは、ネットワーク経由で互いに通信可能なクライアント端末とサーバ装置を含む画像印刷システムであって、クライアント端末は、画像データを前記サーバ装置へアップロードするアップロード手段と、前記画像データと対応するテキストデータを前記サーバ装置へ送信する送信手段とを備え、前記サーバ装置は、前記画像データと前記テキストデータとを対応付けて記憶する記憶手段と、前記画像データ及び前記テキストデータから表示画面情報を作成する表示画面作成手段と、前記クライアント端末から前記画像データの印刷指示を受け付ける受付手段と、前記画像データと対応するテキストデータとを前記記憶手段から読み出すか否か検知する検知手段と、前記検知に応じて、前記画像データと対応するテキストデータとを記憶手段から読み出し、前記画像データと前記テキストデータとから印刷データを作成する作成手段と、前記印刷データを印刷するよう指示する指示手段とを備えることを特徴とする。
【手続補正７】
【補正対象書類名】明細書
【補正対象項目名】００１２
【補正方法】変更
【補正の内容】
【００１２】
又、本発明の画像管理サーバは、クライアント端末とネットワーク経由で通信可能な画像管理サーバであって、クライアント端末から画像データやテキストデータを受信する受信手段と、前記画像データと前記テキストデータとを対応付けて記憶する記憶手段と、前記画像データ及び前記テキストデータから表示画面情報を作成する表示画面作成手段と、前記クライアント端末から前記画像データの印刷指示を受け付ける受付手段と、前記画像データと対応するテキストデータを前記記憶手段から読み出すか否か検知する検知手段と、前記検知に応じて、前記画像データと対応するテキストデータを記憶手段から読み出し、前記画像データと前記テキストデータとから印刷データを作成する印刷データ作成手段と、前記印刷データを印刷するよう指示する指示手段とを備えることを特徴とする。
【手続補正８】
【補正対象書類名】明細書
【補正対象項目名】００１３
【補正方法】変更
【補正の内容】
【００１３】
ここで、前記記憶手段から読み出されたテキストデータを編集する編集手段を更に備える。また、前記検知に応じて、さらにテキストデータを受信する第２の受信手段を備え、前記印刷データ作成手段は、選択的に前記第２の受信手段により受信されたテキストデータを用いて印刷データを作成する。また、前記印刷データ作成手段は、前記複数の画像データとテキストデータが複数ページにそれぞれ配置された印刷データを作成する。
【手続補正９】
【補正対象書類名】明細書
【補正対象項目名】００１４
【補正方法】変更
【補正の内容】
【００１４】
又、本発明の制御方法は、クライアント端末とネットワーク経由で通信可能な画像管理サーバの制御方法であって、クライアント端末から画像データやテキストデータを受信する受信ステップと、前記画像データと前記テキストデータとを対応付けてデータベースに記憶する記憶ステップと、前記画像データ及び前記テキストデータから表示画面情報を作成する表示画面作成ステップと、前記クライアント端末から前記画像データの印刷指示を受け付ける受付ステップと、前記画像データと対応するテキストデータを前記データベースから読み出すか否か検知する検知ステップと、前記検知に応じて、前記画像データと対応するテキストデータを前記データベースから読み出し、前記画像データと前記テキストデータとから印刷データを作成する印刷データ作成ステップと、前記印刷データを印刷するよう指示する指示ステップとを備えることを特徴とする。
【手続補正１０】
【補正対象書類名】明細書
【補正対象項目名】００１５
【補正方法】変更
【補正の内容】
【００１５】
ここで、前記データベースから読み出されたテキストデータを編集する編集ステップを更に備える。また、前記検知に応じて、さらにテキストデータを受信する第２の受信ステップを備え、前記印刷データ作成ステップでは、選択的に前記第２の受信ステップにより受信されたテキストデータを用いて印刷データを作成する。また、前記印刷データ作成ステップでは、前記複数の画像データとテキストデータが複数ページにそれぞれ配置された印刷データを作成する。
【手続補正１１】
【補正対象書類名】明細書
【補正対象項目名】００１６
【補正方法】変更
【補正の内容】
【００１６】
又、本発明のプログラムは、クライアント端末とネットワーク経由で通信可能な画像管理サーバが実行するプログラムであって、クライアント端末から画像データやテキストデータを受信する受信ステップと、前記画像データと前記テキストデータとを対応付けてデータベースに記憶する記憶ステップと、前記画像データ及び前記テキストデータから表示画面情報を作成する表示画面作成ステップと、前記クライアント端末から前記画像データの印刷指示を受け付ける受付ステップと、前記画像データと対応するテキストデータを前記データベースから読み出すか否か検知する検知ステップと、前記検知に応じて、前記画像データと対応するテキストデータを前記データベースから読み出し、前記画像データと前記テキストデータから印刷データを作成する印刷データ作成ステップと、前記印刷データを印刷するよう指示する指示ステップとを備えることを特徴とする。
【手続補正１２】
【補正対象書類名】明細書
【補正対象項目名】００１７
【補正方法】変更
【補正の内容】
【００１７】
ここで、前記データベースから読み出されたテキストデータを編集する編集ステップを更に備える。また、前記検知に応じて、さらにテキストデータを受信する第２の受信ステップを備え、
前記印刷データ作成ステップでは、選択的に前記第２の受信ステップにより受信されたテキストデータを用いて印刷データを作成する。また、前記印刷データ作成ステップでは、前記複数の画像データとテキストデータが複数ページにそれぞれ配置された印刷データを作成する。
【手続補正１３】
【補正対象書類名】明細書
【補正対象項目名】００９８
【補正方法】変更
【補正の内容】
【００９８】
【発明の効果】
以上説明したように、本発明によれば、フォトサイトへ登録されていた画像と対応するコメントやタイトル等を、印刷の際にもそれぞれ自動的に再利用できるので、ユーザによる入力操作の負担を軽減することができる。
【手続補正１４】
【補正対象書類名】明細書
【補正対象項目名】００９９
【補正方法】削除
【補正の内容】